(57)【要約】      （修正有）【課題】複数種のセグメント形式の放送ＴＳについて所定のセグメント数以下で任意に連結し合成した連結・合成ＴＳをＳＴＬ／ＴＴＬ回線にて送信するＳＴＬ／ＴＴＬ回線用送信システム及びその受信装置を提供する。【解決手段】第１態様のＳＴＬ／ＴＴＬ回線用送信装置１は、３セグメント形式の放送ＴＳについて圧縮した圧縮放送ＴＳ、１セグメント形式の放送ＴＳ及びヌル放送ＴＳを連結して連結・合成ＴＳを生成する連結合成部３を備える。第２態様のＳＴＬ／ＴＴＬ回線用送信装置１は、３セグメント形式の放送ＴＳ、１セグメント形式の放送ＴＳ及びヌル放送ＴＳを連結して連結・合成ＴＳを生成する連結合成部３を備える。ＳＴＬ／ＴＴＬ回線用送信装置１０は、第１態様又は第２態様のＳＴＬ／ＴＴＬ回線用送信装置１から伝送された連結・合成ＴＳを受信して分離する分離部を備える。【選択図】図１
2015103953.tif 000002
【特許請求の範囲】
【請求項１】
複数種のセグメント形式の放送ＴＳについて所定のセグメント数以下で任意に連結し合成した連結・合成ＴＳをＳＴＬ／ＴＴＬ回線にて送信するＳＴＬ／ＴＴＬ回線用送信装置であって、
当該複数種のセグメント形式の放送ＴＳのうち第１のセグメント形式の放送ＴＳのＴＳＰカウンタ値を監視し、該放送ＴＳの伝送パラメータに応じて予め定められたＴＳＰカウンタ値のヌルパケットを削除することにより当該放送ＴＳについてデータ圧縮を施して圧縮放送ＴＳを生成し、当該データ圧縮を施した後に所定の付加情報を多重するデータ圧縮・付加情報多重手段と、
当該複数種のセグメント形式の放送ＴＳのうち当該データ圧縮を施していない第２のセグメント形式の放送ＴＳと、前記圧縮放送ＴＳと、ヌル放送ＴＳとを連結して連結・合成ＴＳを生成する連結合成手段と、
前記連結・合成ＴＳに対して予め定められた伝送路符号化を施してＳＴＬ／ＴＴＬ回線にて外部に送信する送信手段と、
を備えることを特徴とするＳＴＬ／ＴＴＬ回線用送信装置。
【請求項２】
複数種のセグメント形式の放送ＴＳについて所定のセグメント数以下で任意に連結し合成した連結・合成ＴＳをＳＴＬ／ＴＴＬ回線にて送信するＳＴＬ／ＴＴＬ回線用送信装置であって、
当該複数種のセグメント形式の放送ＴＳのうち第１のセグメント形式の放送ＴＳと、当該複数種のセグメント形式の放送ＴＳのうち第２のセグメント形式の放送ＴＳとを連結したときの伝送速度の合計に応じて定められたヌル放送ＴＳの連結数にしたがって、前記連結・合成ＴＳの伝送速度の合計が前記ＳＴＬ／ＴＴＬ回線の伝送速度以下となるように各放送ＴＳを連結し合成することにより連結・合成ＴＳを生成する連結合成手段と、
前記連結・合成ＴＳに対して予め定められた伝送路符号化を施してＳＴＬ／ＴＴＬ回線にて外部に送信する送信手段と、
を備えることを特徴とするＳＴＬ／ＴＴＬ回線用送信装置。
【請求項３】
前記第１のセグメント形式は３セグメント形式とし、前記第２のセグメント形式は１セグメント形式とすることを特徴とする、請求項１又は２に記載のＳＴＬ／ＴＴＬ回線用送信装置。
【請求項４】
前記連結合成手段は、前記連結・合成ＴＳを生成する際に、前記圧縮放送ＴＳと前記ヌル放送ＴＳとの区別を判別するためのフラグを付加情報へ挿入する手段を有することを特徴とする、請求項１から３のいずれか一項に記載のＳＴＬ／ＴＴＬ回線用送信装置。
【請求項５】
前記連結合成手段は、前記第２のセグメント形式の放送ＴＳと前記圧縮放送ＴＳの組み合わせによって定める伝送速度に応じて、前記ヌル放送ＴＳの連結数を適応的に定めることにより、前記ＳＴＬ／ＴＴＬ回線の伝送速度に一致した連結・合成ＴＳを生成するＴＳ合成手段を備えることを特徴とする、請求項１から４のいずれか一項に記載のＳＴＬ／ＴＴＬ回線用送信装置。
【請求項６】
複数種のセグメント形式の放送ＴＳについて所定のセグメント数以下で任意に連結し合成した連結・合成ＴＳをＳＴＬ／ＴＴＬ回線にて受信するＳＴＬ／ＴＴＬ回線用受信装置であって、
送信側で、当該複数種のセグメント形式の放送ＴＳのうち第１のセグメント形式の放送ＴＳのＴＳＰカウンタ値を監視し、該放送ＴＳの伝送パラメータに応じて予め定められたＴＳＰカウンタ値のヌルパケットを削除することによりデータ圧縮が施された圧縮放送ＴＳと、当該複数種のセグメント形式の放送ＴＳのうち当該データ圧縮を施していない第２のセグメント形式の放送ＴＳと、ヌル放送ＴＳとを連結し合成した連結・合成ＴＳを当該複数種のセグメント形式の放送ＴＳへと分離する分離手段と、
前記圧縮放送ＴＳのＴＳＰカウンタ値を監視し、ＴＳＰカウンタ値が連続値となっているときには前記圧縮放送ＴＳを分離した順にＴＳＰを連接し、ＴＳＰカウンタ値が連続値となっていないときにはＴＳＰカウンタ値が連続値となるまでヌルパケットを挿入して放送ＴＳを復元するデータ伸長手段と、
を備えることを特徴とするＳＴＬ／ＴＴＬ回線用受信装置。
【請求項７】
複数種のセグメント形式の放送ＴＳについて所定のセグメント数以下で任意に連結し合成した連結・合成ＴＳをＳＴＬ／ＴＴＬ回線にて受信するＳＴＬ／ＴＴＬ回線用受信装置であって、
送信側で、当該複数種のセグメント形式の放送ＴＳのうち第１のセグメント形式の放送ＴＳと、当該複数種のセグメント形式の放送ＴＳのうち第２のセグメント形式の放送ＴＳとを連結したときの伝送速度の合計に応じてヌル放送ＴＳの連結の可否を定め、前記連結・合成ＴＳの伝送速度の合計が前記ＳＴＬ／ＴＴＬ回線の伝送速度以下となるように各放送ＴＳを連結し合成した連結・合成ＴＳを当該複数種のセグメント形式の放送ＴＳへと分離する分離手段と、
前記圧縮放送ＴＳのＴＳＰカウンタ値を監視し、ＴＳＰカウンタ値が連続値となっているときには前記圧縮放送ＴＳを分離した順にＴＳＰを連接し、ＴＳＰカウンタ値が連続値となっていないときにはＴＳＰカウンタ値が連続値となるまでヌルパケットを挿入して放送ＴＳを復元するデータ伸長手段と、
を備えることを特徴とするＳＴＬ／ＴＴＬ回線用受信装置。
【請求項８】
前記第１のセグメント形式は３セグメント形式とし、前記第２のセグメント形式は１セグメント形式とすることを特徴とする、請求項６又は７に記載のＳＴＬ／ＴＴＬ回線用受信装置。
【請求項９】
前記分離手段は、送信側にて前記ＳＴＬ／ＴＴＬ回線で伝送可能な一定の伝送速度となるように挿入されたヌルパケットを削除する手段を備えることを特徴とする、請求項６から９のいずれか一項に記載のＳＴＬ／ＴＴＬ回線用受信装置。
【発明の詳細な説明】
【技術分野】
【０００１】
本発明は、ＶＨＦ‐Ｌｏｗ帯を利用したマルチメディア放送などのセグメント連結方式によるデジタル放送信号を、演奏所から送信所や、送信所から送信所へ伝送するＳＴＬ／（Studio Transmitter Link）／ＴＴＬ（Transmitter to Transmitter Link）回線用の伝送信号である放送トランスポートストリーム（以下、「放送ＴＳ」と称する）の信号フォーマットの形式で送信するＳＴＬ／ＴＴＬ回線用送信装置及びＳＴＬ／ＴＴＬ回線用受信装置に関する。
【背景技術】
【０００２】
ＳＴＬ／ＴＴＬ回線用の放送ＴＳの伝送の際の信号フォーマットとしては、地上デジタルテレビジョン放送においては、ＡＲＩＢ標準規格ＡＲＩＢ ＳＴＤ‐Ｂ３１（２．１版）の付属資料の第５章に記載のような放送ＴＳによる信号フォーマットや、セグメント連結伝送方式による地上マルチメディア放送においては、ＡＲＩＢ標準規格ＡＲＩＢ ＳＴＤ‐Ｂ４６（１．３版）の付属資料の第５章に記載のような放送ＴＳと１２セグメント形式の信号と１セグメント形式の信号を連結し合成した放送ＴＳ（以下、「連結・合成ＴＳ」と称する）による信号フォーマットが知られている。
【０００３】
従来技術として、ＳＴＬ／ＴＴＬ回線用の放送ＴＳに関して、放送ＴＳのダミーバイト部の情報を変更し、入れ替えることによって、放送ＴＳの有効利用を図る伝送システムに関する技術が開示されている（例えば、特許文献１参照）。また、放送ＴＳのヌルパケットを利用し情報を伝送する地上デジタルテレビジョン放送ネットワークシステムが開示されている（例えば、特許文献２参照）。
【先行技術文献】
【特許文献】
【０００４】
【特許文献１】特開２０１０−２５２１３６号公報
【特許文献２】特開２０１１−１５０６０号公報
【発明の概要】
【発明が解決しようとする課題】
【０００５】
ＶＨＦ‐Ｌｏｗ帯を利用したセグメント連結伝送方式によるマルチメディア放送では、１セグメント形式もしくは３セグメント形式の信号を複数個（最大１４セグメント）連結した信号を、ＳＴＬ／回線やＴＴＬ回線用に変調して伝送する。
【０００６】
しかし、ＡＲＩＢ ＳＴＤ‐Ｂ３１は、地上デジタルテレビジョン放送用に特化されているため、１３セグメント固定のセグメント数の放送ＴＳのフォーマット（伝送速度３２．５１Ｍｂｐｓ（＝５１２／６３×４Ｍｂｐｓ））の信号しか伝送できない。
【０００７】
一方、ＡＲＩＢ ＳＴＤ‐Ｂ４６は、ＶＨＦ‐Ｈｉｇｈ帯を利用したセグメント連結伝送方式によるマルチメディア放送用の信号フォーマットを規定しており、セグメント連結伝送用に拡張されているが、２個の１３セグメント形式の信号と７個の１セグメント形式の信号の合計３３セグメントの信号の伝送用に考えられた連結・合成ＴＳの信号フォーマットである。１３セグメント形式の放送ＴＳの伝送速度は３２．５１Ｍｂｐｓ（＝５１２／６３×４Ｍｂｐｓ）、１セグメント形式の放送ＴＳの伝送速度は２．０３Ｍｂｐｓ（＝５１２／６３／４Ｍｂｐｓ）であり、これらの放送ＴＳを合成して連結・合成ＴＳを生成するが、その伝送速度は７９．２４Ｍｂｐｓ（＝５１２／６３×（４×２＋７／４）Ｍｂｐｓ）である。ＶＨＦ‐Ｈｉｇｈ帯を利用したセグメント連結伝送方式によるマルチメディア放送では、主に、ＳＴＬ／ＴＴＬ回線の代わりに衛星配信とすることが意図されている。
【０００８】
ＶＨＦ‐Ｌｏｗ帯を利用したセグメント連結伝送方式によるマルチメディア放送は、１セグメント形式もしくは３セグメント形式で構成され、１４セグメント以下のセグメント数で各セグメント形式の個数を任意に連結することが考えられている。１セグメント形式の放送ＴＳの伝送速度は２．０３Ｍｂｐｓ（＝５１２／６３／４Ｍｂｐｓ）、３セグメント形式の放送ＴＳの伝送速度は８．１２Ｍｂｐｓ（＝５１２／６３Ｍｂｐｓ）である。そのまま放送ＴＳを連結し合成した場合、１セグメント形式が１４個の場合は連結・合成ＴＳの伝送速度は２８．４４Ｍｂｐｓ（＝５１２／６３／４×１４ Ｍｂｐｓ）となるが、３セグメント形式が４個、１セグメント形式が２個の合計１４個で構成された場合は、その連結・合成ＴＳの伝送速度は３６．５７Ｍｂｐｓ（＝５１２／６３×４＋５１２／６３／４×１ Ｍｂｐｓ）となる。したがって、連結し合成された連結・合成ＴＳの伝送速度がセグメント構成によって異なり、且つ地上デジタルテレビジョン放送における伝送速度３２．５１Ｍｂｐｓを超えることとなり、地上デジタルテレビジョン放送と同様のＳＴＬ／ＴＴＬ回線で伝送することが困難となる。
【０００９】
一方、特許文献１の技術では、放送ＴＳのダミーバイト部の情報を変更し、入れ替えることによって放送ＴＳの有効利用を図ることが可能となるが、ＶＨＦ‐Ｌｏｗ帯を利用したセグメント連結伝送方式によるマルチメディア放送において、連結・合成ＴＳの伝送速度がセグメント構成によって異なることによる地上デジタルテレビジョン放送と同様のＳＴＬ／ＴＴＬ回線への利用の問題について解決する手段を提供していない。
【００１０】
また、特許文献２の技術では、放送ＴＳのヌルパケットを利用し情報を伝送する点で、放送ＴＳの有効利用を図ることが可能となるが、セグメント連結用放送ＴＳを考慮したものではなく、連結・合成ＴＳの伝送速度がセグメント構成によって異なることによる地上デジタルテレビジョン放送と同様のＳＴＬ／ＴＴＬ回線への利用の問題について解決する手段を提供していない。
【００１１】
尚、地上デジタルテレビジョン放送、及びＶＨＦ‐Ｈｉｇｈ帯を利用したマルチメディア放送の場合、放送ＴＳはＡＲＩＢ ＳＴＤ‐Ｂ３１の付属資料第５章、及びＡＲＩＢ ＳＴＤ‐Ｂ４６の付属資料第５章に規定されるように、放送ＴＳ伝送時に送信所の制御に必要な付加情報（送信制御情報）を多重することが規定されている。この付加情報は、付加情報内の情報種類に応じて、各ＴＳＰのダミーバイトや放送ＴＳの無効階層ＴＳＰにおけるＩＩＰ（ISDB-T Information Packet）などに多重される。例えば、伝送パラメータはＩＩＰへ、ＴＳＰカウンタ値等の情報は、各ＴＳＰのダミーバイト部分へ多重される。尚、ＡＲＩＢ ＳＴＤ‐Ｂ４６（平成２４年１２月１８日改定の１．３版）において、連結送信時のセグメント構成の制御情報（即ち、連結送信制御情報）が、連結・合成ＴＳの生成時にて放送ＴＳの無効階層ＴＳＰにおけるＣＩＰ（Connected transmission Information Packet）により付加されることが規定されている。ただし、ＶＨＦ‐Ｌｏｗ帯マルチメディア放送の放送ＴＳに多重される付加情報のフォーマットは現段階で規定されていない。
【００１２】
そこで、連結・合成ＴＳの伝送速度がセグメント構成によって異なることによる地上デジタルテレビジョン放送と同様のＳＴＬ／ＴＴＬ回線への利用の問題について解決するとともに、ＳＴＬ／ＴＴＬ回線用の放送ＴＳの伝送の際には当該放送ＴＳに関する所定の付加情報に関して、受信側にとって、より遅延の少ない伝送とすることが望まれる。
【００１３】
これらの要望を満たすため、最大１４セグメントで構成されているＶＨＦ−Ｌｏｗ帯マルチメディア放送の放送ＴＳのうち、３セグメント形式の放送ＴＳに含まれるヌルパケットを削除して圧縮放送ＴＳを生成するとともに、放送ＴＳや圧縮放送ＴＳを連結・合成した合計の伝送速度を地上デジタル放送の放送ＴＳ以下（３２．５１Ｍｂｐｓ（＝５１２／６３×４Ｍｂｐｓ）以下）とする態様が可能である。
【００１４】
この場合、放送ＴＳや圧縮放送ＴＳを連結・合成した後にレート調整によりヌルパケットを追加して地上デジタル放送の放送ＴＳと同じ伝送速度の連結・合成ＴＳを生成することによって、地上デジタルテレビジョン放送と同様のＳＴＬ／ＴＴＬ回線への利用を可能にすることができる。しかしながら、連結・合成ＴＳを生成する処理過程が２段階となり、複雑になるという問題がある。
【００１５】
このため、連結・合成ＴＳの伝送速度がセグメント構成によって異なることによる地上デジタルテレビジョン放送と同様のＳＴＬ／ＴＴＬ回線への利用の問題について解決し、ＳＴＬ／ＴＴＬ回線用の放送ＴＳの伝送の際には当該放送ＴＳに関する所定の付加情報に関して、受信側にとって、より遅延の少ない伝送とするとともに、如何にして連結・合成ＴＳの生成に要する処理負担を削減するかが課題となる。
【００１６】
本発明は、上述の問題を鑑みて為されたものであり、複数種のセグメント形式の放送ＴＳについて所定のセグメント数以下で任意に連結し合成した連結・合成ＴＳを付加情報とともに効率よくＳＴＬ／ＴＴＬ回線にて送信するＳＴＬ／ＴＴＬ回線用送信装置及びＳＴＬ／ＴＴＬ回線用受信装置を提供することを目的とする。
【課題を解決するための手段】
【００１７】
前述したように、ＶＨＦ‐Ｌｏｗ帯マルチメディア放送は、６ＭＨｚの帯域幅で、最大１４セグメントで構成されることが考えられている。この放送では、１４セグメント以下のセグメント数で各セグメント形式の個数を任意に複数連結して放送される。１セグメント形式の放送ＴＳの伝送速度は２．０３Ｍｂｐｓ（＝５１２／６３／４Ｍｂｐｓ）、３セグメント形式の放送ＴＳの伝送速度は８．１２Ｍｂｐｓ（＝５１２／６３Ｍｂｐｓ）であり、これらの放送ＴＳをそのまま合成すると、セグメントの構成（１セグメント形式、または３セグメント形式）によって合成された連結・合成ＴＳの伝送速度が異なり、且つ地上デジタルテレビジョン放送における伝送速度３２．５１Ｍｂｐｓを超えることになる。
【００１８】
そこで、本発明による一態様のＳＴＬ／ＴＴＬ回線用送信装置では、ＶＨＦ‐Ｌｏｗ帯のマルチメディア放送などのセグメント連結方式によるデジタル放送信号を放送ＴＳの形式で演奏所から送信所（ＳＴＬ）、送信所から送信所（ＴＴＬ）に１つ又は複数のＶＨＦ−Ｌｏｗ帯マルチメディア放送の放送ＴＳを伝送する際に、８．１２Ｍｂｐｓ（＝５１２／６３Ｍｂｐｓ）の３セグメント形式の放送ＴＳを圧縮・変換して６．１０Ｍｂｐｓ（＝５１２／６３／４×３Ｍｂｐｓ）の放送ＴＳとし、セグメントの構成（１セグメント形式、または３セグメント形式）によらずに、地上デジタルテレビジョン放送と同様のＳＴＬ／ＴＴＬ回線を利用できる一定速度の連結・合成ＴＳを伝送信号として生成して送信する。
【００１９】
このとき、当該ＳＴＬ／ＴＴＬ回線用送信装置は、１セグメント形式のＶＨＦ−Ｌｏｗ帯マルチメディア放送の放送ＴＳと同じ伝送速度（２．０３Ｍｂｐｓ（＝１２８／６３Ｍｂｐｓ））で内容が全てヌルの「ヌル放送ＴＳ」を生成し、ＶＨＦ−Ｌｏｗ帯マルチメディア放送の１つまたは複数の放送ＴＳと連結・合成して地上デジタル放送の放送ＴＳと同じ伝送速度（３２．５１Ｍｂｐｓ（＝５１２／６３×４Ｍｂｐｓ））の連結・合成ＴＳを生成し、ＶＨＦ−Ｌｏｗ帯マルチメディア放送の放送ＴＳ（圧縮放送ＴＳを含む）とヌル放送ＴＳとの区別を判別するためのフラグを付加情報へ挿入する。受信側では、この付加情報を参照することにより、放送ＴＳ、圧縮放送ＴＳ及びヌル放送ＴＳを判別して復調する。
【００２０】
即ち、本発明による第１態様のＳＴＬ／ＴＴＬ回線用送信装置は、複数種のセグメント形式の放送ＴＳについて所定のセグメント数以下で任意に連結し合成した連結・合成ＴＳをＳＴＬ／ＴＴＬ回線にて送信するＳＴＬ／ＴＴＬ回線用送信装置であって、当該複数種のセグメント形式の放送ＴＳのうち第１のセグメント形式の放送ＴＳのＴＳＰカウンタ値を監視し、該放送ＴＳの伝送パラメータに応じて予め定められたＴＳＰカウンタ値のヌルパケットを削除することにより当該放送ＴＳについてデータ圧縮を施して圧縮放送ＴＳを生成し、当該データ圧縮を施した後に所定の付加情報を多重するデータ圧縮・付加情報多重手段と、当該複数種のセグメント形式の放送ＴＳのうち当該データ圧縮を施していない第２のセグメント形式の放送ＴＳと、前記圧縮放送ＴＳと、ヌル放送ＴＳとを連結して連結・合成ＴＳを生成する連結合成手段と、前記連結・合成ＴＳに対して予め定められた伝送路符号化を施してＳＴＬ／ＴＴＬ回線にて外部に送信する送信手段と、を備えることを特徴とする。
【００２１】
また、本発明による第２態様のＳＴＬ／ＴＴＬ回線用送信装置は、複数種のセグメント形式の放送ＴＳについて所定のセグメント数以下で任意に連結し合成した連結・合成ＴＳをＳＴＬ／ＴＴＬ回線にて送信するＳＴＬ／ＴＴＬ回線用送信装置であって、当該複数種のセグメント形式の放送ＴＳのうち第１のセグメント形式の放送ＴＳと、当該複数種のセグメント形式の放送ＴＳのうち第２のセグメント形式の放送ＴＳとを連結したときの伝送速度の合計に応じて定められたヌル放送ＴＳの連結数にしたがって、前記連結・合成ＴＳの伝送速度の合計が前記ＳＴＬ／ＴＴＬ回線の伝送速度以下となるように各放送ＴＳを連結し合成することにより連結・合成ＴＳを生成する連結合成手段と、前記連結・合成ＴＳに対して予め定められた伝送路符号化を施してＳＴＬ／ＴＴＬ回線にて外部に送信する送信手段と、を備えることを特徴とする。
【００２２】
また、本発明のＳＴＬ／ＴＴＬ回線用送信装置において、前記第１のセグメント形式は３セグメント形式とし、前記第２のセグメント形式は１セグメント形式とすることを特徴とする。
【００２３】
また、本発明のＳＴＬ／ＴＴＬ回線用送信装置において、前記連結合成手段は、前記連結・合成ＴＳを生成する際に、前記圧縮放送ＴＳと前記ヌル放送ＴＳとの区別を判別するためのフラグを付加情報へ挿入する手段を有することを特徴とする。
【００２４】
また、本発明のＳＴＬ／ＴＴＬ回線用送信装置において、前記連結合成手段は、前記第２のセグメント形式の放送ＴＳと前記圧縮放送ＴＳの組み合わせによって定める伝送速度に応じて、前記ヌル放送ＴＳの連結数を適応的に定めることにより、前記ＳＴＬ／ＴＴＬ回線の伝送速度に一致した連結・合成ＴＳを生成するＴＳ合成手段を備えることを特徴とする。
【００２５】
更に、本発明による第１態様のＳＴＬ／ＴＴＬ回線用受信装置は、複数種のセグメント形式の放送ＴＳについて所定のセグメント数以下で任意に連結し合成した連結・合成ＴＳをＳＴＬ／ＴＴＬ回線にて受信するＳＴＬ／ＴＴＬ回線用受信装置であって、送信側で、当該複数種のセグメント形式の放送ＴＳのうち第１のセグメント形式の放送ＴＳのＴＳＰカウンタ値を監視し、該放送ＴＳの伝送パラメータに応じて予め定められたＴＳＰカウンタ値のヌルパケットを削除することによりデータ圧縮が施された圧縮放送ＴＳと、当該複数種のセグメント形式の放送ＴＳのうち当該データ圧縮を施していない第２のセグメント形式の放送ＴＳと、ヌル放送ＴＳとを連結し合成した連結・合成ＴＳを当該複数種のセグメント形式の放送ＴＳへと分離する分離手段と、前記圧縮放送ＴＳのＴＳＰカウンタ値を監視し、ＴＳＰカウンタ値が連続値となっているときには前記圧縮放送ＴＳを分離した順にＴＳＰを連接し、ＴＳＰカウンタ値が連続値となっていないときにはＴＳＰカウンタ値が連続値となるまでヌルパケットを挿入して放送ＴＳを復元するデータ伸長手段と、を備えることを特徴とする。
【００２６】
また、本発明による第２態様のＳＴＬ／ＴＴＬ回線用受信装置は、複数種のセグメント形式の放送ＴＳについて所定のセグメント数以下で任意に連結し合成した連結・合成ＴＳをＳＴＬ／ＴＴＬ回線にて受信するＳＴＬ／ＴＴＬ回線用受信装置であって、送信側で、当該複数種のセグメント形式の放送ＴＳのうち第１のセグメント形式の放送ＴＳと、当該複数種のセグメント形式の放送ＴＳのうち第２のセグメント形式の放送ＴＳとを連結したときの伝送速度の合計に応じてヌル放送ＴＳの連結の可否を定め、前記連結・合成ＴＳの伝送速度の合計が前記ＳＴＬ／ＴＴＬ回線の伝送速度以下となるように各放送ＴＳを連結し合成した連結・合成ＴＳを当該複数種のセグメント形式の放送ＴＳへと分離する分離手段と、前記圧縮放送ＴＳのＴＳＰカウンタ値を監視し、ＴＳＰカウンタ値が連続値となっているときには前記圧縮放送ＴＳを分離した順にＴＳＰを連接し、ＴＳＰカウンタ値が連続値となっていないときにはＴＳＰカウンタ値が連続値となるまでヌルパケットを挿入して放送ＴＳを復元するデータ伸長手段と、を備えることを特徴とする。
【００２７】
また、本発明のＳＴＬ／ＴＴＬ回線用受信装置において、前記第１のセグメント形式は３セグメント形式とし、前記第２のセグメント形式は１セグメント形式とすることを特徴とする。
【００２８】
また、本発明のＳＴＬ／ＴＴＬ回線用受信装置において、前記分離手段は、付加情報を参照して、前記圧縮放送ＴＳと前記ヌル放送ＴＳとの区別を判別して分離する手段を有することを特徴とする。
【００２９】
また、本発明のＳＴＬ／ＴＴＬ回線用受信装置において、前記分離手段は、送信側にて前記ＳＴＬ／ＴＴＬ回線で伝送可能な一定の伝送速度となるように挿入されたヌルパケットを削除する手段を備えることを特徴とする。
【発明の効果】
【００３０】
本発明によれば、複数種のセグメント形式の放送ＴＳについて所定のセグメント数以下で任意に連結し合成した伝送信号、例えば１４個以下のセグメントで連結されたマルチメディア放送の伝送信号において、セグメント構成（１セグメント形式か３セグメント形式）によらず、所定の伝送速度（例えば３２．５１Ｍｂｐｓ（＝５１２／６３×４Ｍｂｐｓ））以下で連結・合成ＴＳを構成することができるので、地上デジタルテレビジョン放送と同様のＳＴＬ／ＴＴＬ回線を利用することができるようになる。更に、連結・合成ＴＳの伝送速度を地上デジタル放送の放送ＴＳと同じ伝送速度の調整に要する処理負担を削減することができる。
【図面の簡単な説明】
【００３１】
【図１】本発明による実施例１のＳＴＬ／ＴＴＬ回線用送信装置を備える送信システムの構成を示すブロック図である。
【図２】本発明による実施例１のＳＴＬ／ＴＴＬ回線用送信装置に係る付加情報の種類の一例とその分類例を示す図である。
【図３】本発明による実施例１のＳＴＬ／ＴＴＬ回線用送信装置におけるデータ圧縮・付加情報多重部の構成を示すブロック図である。
【図４】本発明による実施例１のＳＴＬ／ＴＴＬ回線用送信装置に係る各ＴＳＰのダミーバイト部分に含まれる付加情報の多重位置を示す図である。
【図５】本発明による実施例１のＳＴＬ／ＴＴＬ回線用送信装置における連結合成部の構成を示すブロック図である。
【図６】本発明による実施例１のＳＴＬ／ＴＴＬ回線用送信装置における連結・合成ＴＳの時間多重例を示す図である。
【図７】本発明による実施例１のＳＴＬ／ＴＴＬ回線用送信装置における連結・合成ＴＳ区別情報、セグメント形式情報及び単位送信波情報のビット割り当ての一例を示す図である。
【図８】本発明による実施例１のＳＴＬ／ＴＴＬ回線用送信装置に係る１多重フレームに含まれるＴＳＰ数を示す表である。
【図９】本発明による実施例１のＳＴＬ／ＴＴＬ回線用送信装置に係るモード１、ガードインターバル１／４、Ａ階層ＱＰＳＫ（符号化率２／３）、Ｂ階層 １６ＱＡＭ（符号化率１／２）の場合の放送ＴＳパケット配置を示す図である。
【図１０】本発明による実施例１のＳＴＬ／ＴＴＬ回線用送信装置におけるモード１、ガードインターバル１／４、Ａ階層ＱＰＳＫ（符号化率２／３）、Ｂ階層１６ＱＡＭ（符号化率１／２）における抽出ＴＳＰテーブルを示す表である。
【図１１】本発明による実施例１のＳＴＬ／ＴＴＬ回線用送信装置における伝送パラメータに応じた抽出ＴＳＰテーブルの作成方法例の説明図である。
【図１２】本発明による実施例１のＳＴＬ／ＴＴＬ回線用受信装置の構成を示すブロック図である。
【図１３】本発明による実施例１のＳＴＬ／ＴＴＬ回線用受信装置におけるデータ伸長部の構成を示すブロック図である。
【図１４】本発明による実施例２のＳＴＬ／ＴＴＬ回線用送信装置を備える送信システムの構成を示すブロック図である。
【図１５】本発明による実施例２のＳＴＬ／ＴＴＬ回線用送信装置における連結合成部の構成を示すブロック図である。
【図１６】本発明による実施例２のＳＴＬ／ＴＴＬ回線用受信装置の構成を示すブロック図である。
【図１７】本発明に係る連結合成の組み合わせによるヌル放送ＴＳの個数例を示す図である。
【図１８】本発明による実施例３のＳＴＬ／ＴＴＬ回線用送信装置におけるデータ圧縮・付加情報多重部の構成を示すブロック図である。
【発明を実施するための形態】
【００３２】
以下、図面を参照して、本発明による実施例１のＳＴＬ／ＴＴＬ回線用送信装置及びＳＴＬ／ＴＴＬ回線用受信装置について説明する。
【００３３】
〔実施例１〕
（ＳＴＬ／ＴＴＬ回線用送信装置）
図１は、本発明による実施例１のＳＴＬ／ＴＴＬ回線用送信装置１を備える送信システムの構成を示すブロック図である。本実施例では、放送ＴＳの伝送速度の合計が最も大きくなる構成、つまり、３セグメント形式の放送ＴＳを４個、１セグメント形式の放送ＴＳを２個（合計１４セグメント）で構成されたＶＨＦ−Ｌｏｗ帯マルチメディア放送の合成ＴＳを地上デジタル放送のＳＴＬ／ＴＴＬ １回線で伝送する装置例を説明する。
【００３４】
図１を参照するに、本実施例に係る送信システムは、ＳＴＬ／ＴＴＬ回線用送信装置１と、３セグメント形式（以下、「３ｓｅｇ」とも表す。）のＴＳに対して所定の付加情報（図２にて詳細に後述する。）から分類された第１付加情報Ａを多重して３セグメント形式の放送ＴＳを形成する３ｓｅｇ用ＴＳ再多重装置６‐１，６‐２，６‐３，６‐４と、１セグメント形式（以下、「１ｓｅｇ」とも表す。）のＴＳに対して当該所定の付加情報のうち第１付加情報Ａ及び第２付加情報Ｂに属する情報を多重して１セグメント形式の放送ＴＳを形成する１ｓｅｇ用ＴＳ再多重装置７‐１，７‐２と、各セグメント形式のＴＳに応じて当該所定の付加情報から分類される、第１付加情報Ａ、第２付加情報Ｂ及び第３付加情報Ｃ、並びに、第１付加情報Ａ及び第２付加情報Ｂに属する情報を出力する付加情報挿入制御装置８とを備える。
【００３５】
付加情報挿入制御装置８は、セグメント形式判定部８１及び付加情報挿入制御部８２を備える。セグメント形式判定部８１は、伝送するＳＴＬ／ＴＴＬ回線用のＴＳが１セグメント形式の信号であるか、１セグメント形式の信号であるかを判別し、その判別結果を付加情報挿入制御部８２に送出する。付加情報挿入制御部８２は、当該判別結果を基に、３セグメント形式の信号に対しては所定の付加情報から分類された第１付加情報Ａ及び第２付加情報Ｂを出力し、１セグメント形式の信号に対しては当該所定の付加情報のうち第１付加情報Ａ及び第２付加情報Ｂに属する情報を出力し、３セグメント形式の信号及び１セグメント形式の信号に関して、連結・合成ＴＳの生成時に共通に多重するための第３付加情報Ｃを出力する。
【００３６】
付加情報挿入制御装置８が出力する１セグメント形式の信号用の付加情報（第１付加情報Ａ及び第２付加情報Ｂに属する情報）は、１ｓｅｇ用ＴＳ再多重装置７‐１，７‐２に入力される。また、付加情報挿入制御装置８が出力する３セグメント形式の信号用の第１付加情報Ａ及び第２付加情報Ｂは、データ圧縮時に削除する予定のＴＳＰがＩＩＰ、ＡＣデータ及び事業者独自データとなる場合がないようにするために、第１付加情報Ａについてはデータ圧縮前の３ｓｅｇ用ＴＳ再多重装置６‐１，６‐２，６‐３，６‐４にて多重し、第２付加情報ＢについてはＳＴＬ／ＴＴＬ回線用送信装置１にてデータ圧縮後に多重するべくタイミングを変えて出力されることになる。分類する第１付加情報Ａ、第２付加情報Ｂ及び第３付加情報Ｃに関しては、図２にて詳細に後述する。
【００３７】
３ｓｅｇ用ＴＳ再多重装置６‐１，６‐２，６‐３，６‐４は、単位送信波毎にＴＳ再多重処理を行う装置であり、それぞれ３セグメント形式のＴＳに対して所定の付加情報から分類された第１付加情報Ａを多重して３セグメント形式の放送ＴＳを形成して出力するＴＳ再多重部６１を備える。本願明細書中、３ｓｅｇ用ＴＳ再多重装置６‐１，６‐２，６‐３，６‐４のそれぞれについて、総括して「３ｓｅｇ用ＴＳ再多重装置６」とも称することにする。
【００３８】
１ｓｅｇ用ＴＳ再多重装置７‐１，７‐２は、３ｓｅｇ用ＴＳ再多重装置６と同様に単位送信波毎にＴＳ再多重処理を行う装置であるが、それぞれ１セグメント形式の信号用の付加情報（第１付加情報Ａ及び第２付加情報Ｂに属する情報）を多重して１セグメント形式の放送ＴＳを形成して出力するＴＳ再多重部７１を備える。本願明細書中、１ｓｅｇ用ＴＳ再多重装置７‐１，７‐２のそれぞれについて、総括して「１ｓｅｇ用ＴＳ再多重装置７」とも称することにする。
【００３９】
尚、３ｓｅｇ用ＴＳ再多重装置６及び１ｓｅｇ用ＴＳ再多重装置７における各ＴＳ再多重部６１，７１は、それぞれに分類された付加情報を用いて単位送信波毎にＴＳ再多重処理を行うにあたり、各放送ＴＳのダミーバイトに放送ＴＳである旨を示す情報を付加する。
【００４０】
ＳＴＬ／ＴＴＬ回線用送信装置１は、ＶＨＦ‐Ｌｏｗ帯のマルチメディア放送などのセグメント連結方式によるデジタル放送信号を放送ＴＳの形式で演奏所から送信所（ＳＴＬ）、送信所から送信所（ＴＴＬ）に伝送する際に、所定数の３セグメント形式の放送ＴＳと所定数の１セグメント形式の放送ＴＳとを多重連結して合計１４セグメントの連結・合成ＴＳを生成して送信するための装置であり、３ｓｅｇ用ＴＳ再多重装置６から出力されるそれぞれの３セグメント形式の放送ＴＳに対して設けられるデータ圧縮・付加情報多重部９‐１，９‐２，９‐３，９‐４（本願明細書中、総括して「データ圧縮・付加情報多重部９」とも称する。）と、それぞれのデータ圧縮・付加情報多重部９から送出される圧縮後の放送ＴＳ（以下、「圧縮放送ＴＳ」とも称する。）及び１ｓｅｇ用ＴＳ再多重装置７から出力されるそれぞれの１セグメント形式の放送ＴＳを連結して合成した連結・合成ＴＳを生成する連結合成部３と、ＳＴＬ／ＴＴＬ用伝送路符号化部４と、ＲＦ（Radio Frequency）送信部５とを備える。
【００４１】
図１に示すように、まず、ＳＴＬ／ＴＴＬ回線用送信装置１へ３セグメント形式の放送ＴＳが４個、１セグメント形式の放送ＴＳが２個入力される。３セグメント形式の放送ＴＳは８．１２Ｍｂｐｓ（＝５１２／６３Ｍｂｐｓ）、１セグメント形式の放送ＴＳは２．０３Ｍｂｐｓ（＝５１２／６３／４Ｍｂｐｓ）の伝送速度をもつ。
【００４２】
データ圧縮・付加情報多重部９は、８．１２Ｍｂｐｓ（＝５１２／６３Ｍｂｐｓ）の放送ＴＳを６．１０Ｍｂｐｓ（＝５１２／６３／４×３Ｍｂｐｓ）の圧縮放送ＴＳにデータ圧縮を行い、更に、データ圧縮時に削除する予定のＴＳＰがＩＩＰ、ＡＣデータ及び事業者独自データとなる場合がないようにするために、データ圧縮後に第２付加情報Ｂを多重して圧縮放送ＴＳとして連結合成部３に出力する。
【００４３】
連結合成部３は、第３付加情報Ｃと、データ圧縮・付加情報多重部９から出力された４個の３セグメント形式の圧縮放送ＴＳを入力するとともに、１ｓｅｇ用ＴＳ再多重装置７から出力された２個の１セグメント形式の放送ＴＳを直接入力し、４個の３セグメント形式の圧縮放送ＴＳ、２個の１セグメント形式の放送ＴＳ、及び、連結合成部３の内部で生成する２個のヌル放送ＴＳ（詳細は後述する。）によるヌルパケットを合成することにより、一定の伝送速度を持つ１個の連結・合成ＴＳを生成して、ＳＴＬ／ＴＴＬ用伝送路符号化部４に出力する。本実施例の場合、放送ＴＳ及び圧縮放送ＴＳの合計伝送速度は、２８．４４Ｍｂｐｓ（＝５１２／６３／４×（３×４＋２）Ｍｂｐｓ）であり、その伝送速度に応じた数だけヌル放送ＴＳを伝送速度の比に応じた数だけ多重することにより、３２．５１Ｍｂｐｓ（＝５１２／６３×４Ｍｂｐｓ）の一定の伝送速度を持つ１個の連結・合成ＴＳが連結合成部３から出力される。
【００４４】
ＳＴＬ／ＴＴＬ用伝送路符号化部４は、この連結・合成ＴＳに対して所定の伝送路符号化（例えばＡＲＩＢ  ＳＴＤ‐Ｂ３１と同様）を施してＩＦ（Intermediate Frequency）信号を生成し、ＲＦ送信部５に送出する。
【００４５】
ＲＦ送信部５は、伝送路符号化を施した連結・合成ＴＳのＩＦ信号を予め定められた周波数のＲＦ信号に変換して放送波を生成し、外部に送出する。
【００４６】
図２に、本実施例において利用する所定の付加情報に関して、放送ＴＳの信号へ多重する送信制御情報（付加情報）の種類の一例とその分類例を示す。本実施例では、ＴＭＣＣ識別などのフレーム内で変更されることがないものや、ＴＳＰカウンタ値などのフレームにおけるＴＳＰの位置や同期関連の情報は第１付加情報Ａに分類され、一方で、ＡＣデータや事業者独自データなどの随時変更される情報、及び、ＩＩＰで伝送される情報については第２付加情報Ｂに分類される。更に、連結・合成ＴＳの生成時にて多重する連結送信時のセグメント構成の制御情報（即ち、連結送信制御情報）やセグメント形式情報・単位送信波情報などは、連結送信に関する情報として第３付加情報Ｃに分類される。ただし、ＴＳＰ毎の階層情報は、第１付加情報Ａ及び第２付加情報Ｂに属することになるが、第１付加情報Ａの多重後に第２付加情報Ｂを多重する際に書き換えられる。また、放送ＴＳ／連結・合成ＴＳ区別情報は、第１付加情報Ａ、第２付加情報Ｂ及び第３付加情報Ｃに属することになるが、第１付加情報Ａの多重後に第２付加情報Ｂを多重する際に書き換えられ、更に連結・合成ＴＳの生成時にて第３付加情報Ｃを多重する際に書き換えられる。ただし、本実施例に係る当該所定の付加情報の種類は、図２に例示する種類に限定するものではない。
【００４７】
図３は、本実施例のＳＴＬ／ＴＴＬ回線用送信装置１におけるデータ圧縮・付加情報多重部９の構成を示すブロック図である。データ圧縮・付加情報多重部９は、ＴＳＰバッファ９１と、ＴＳＰカウンタ値抽出部９２と、抽出ＴＳＰテーブル選択制御部９３と、抽出ＴＳＰテーブル格納部９３ａと、ＴＳＰ抽出部９４と、付加情報多重部９５とを備える。第１付加情報Ａが多重された３セグメント形式の放送ＴＳがＴＳＰバッファ９１及びＴＳＰカウンタ値抽出部９２に入力され、付加情報挿入制御装置８から出力された第２付加情報Ｂが抽出ＴＳＰテーブル選択制御部９３及び付加情報多重部９５に入力される。
【００４８】
ＴＳＰバッファ９１は、入力された３セグメント形式の放送ＴＳにおける放送ＴＳパケット（以下、「ＴＳＰ」と称する）を一時格納する機能を有し、後述するＴＳＰ抽出部９４の制御により所定のＴＳＰカウンタ値を有するＴＳＰが読み出される。
【００４９】
ＴＳＰカウンタ値抽出部９２は、図４に示す各ＴＳＰのダミーバイト部分に含まれる第１付加情報Ａ内のＴＳＰカウンタ値を抽出してＴＳＰ抽出部９４に送出する。
【００５０】
抽出ＴＳＰテーブル選択制御部９３は、付加情報挿入制御装置８から出力された第２付加情報Ｂ内のＴＭＣＣに含まれる伝送パラメータを入力し、伝送パラメータに応じた複数の抽出ＴＳＰテーブルを予め格納している抽出ＴＳＰテーブル格納部９３ａから、抽出ＴＳＰテーブル選択制御部９３で抽出された伝送パラメータに合致する抽出ＴＳＰテーブルを選択して読み出し、ＴＳＰ抽出部９４に出力する。ここで、抽出ＴＳＰテーブルとは、３セグメント形式の放送ＴＳを構成するＴＳＰのうち、圧縮放送ＴＳとして抽出するＴＳＰのＴＳＰカウンタ値を示す表であり、その作成方法については詳細に後述する。
【００５１】
ＴＳＰ抽出部９４は、ＴＳＰカウンタ値抽出部９２から出力されたＴＳＰカウンタ値を入力するとともに、抽出ＴＳＰテーブル選択制御部９３から出力された抽出ＴＳＰテーブルを参照して、ＴＳＰバッファ９１より圧縮放送ＴＳとして該当するＴＳＰを抽出して付加情報多重部９５に送出する。
【００５２】
付加情報多重部９５は、第２付加情報Ｂに含まれる情報（ＡＣデータ、ＩＩＰで伝送されるデータ、及び、事業者独自データなど） が入力される毎にＴＳＰ抽出部９４で抽出されたＴＳＰのうちヌルパケット（Ｎｕｌｌ_ＴＳＰ）へ第２付加情報Ｂを多重する。この際、第１付加情報Ａで多重されたＴＳＰ毎の階層情報を書き換える。これにより、８．１２Ｍｂｐｓ（＝５１２／６３Ｍｂｐｓ）の放送ＴＳが、第１付加情報Ａ及び第２付加情報Ｂの情報を含む付加情報が多重された６．１０Ｍｂｐｓ（＝５１２／６３／４×３Ｍｂｐｓ）の圧縮放送ＴＳへ変換される。
【００５３】
図５は、本実施例のＳＴＬ／ＴＴＬ回線用送信装置１における連結合成部３の構成を示すブロック図である。連結合成部３は、付加情報付加部３１‐１，３１‐２，３１‐３，３１‐４，３２‐１，３２‐２と、ＴＳ合成部３３と、ヌル放送ＴＳ生成部３４（本実施例では、２個の第１ヌル放送ＴＳ生成部３４‐１及び第２ヌル放送ＴＳ生成部３４‐２からなる）とを備える。
【００５４】
付加情報付加部３１‐１，３１‐２，３１‐３，３１‐４は、データ圧縮・付加情報多重部９‐１，９‐２，９‐３，９‐４からそれぞれ出力される３セグメント形式の圧縮放送ＴＳを入力し、第３付加情報Ｃに含まれる連結・合成ＴＳ区別情報、セグメント形式情報及び単位送信波情報を圧縮放送ＴＳのダミーバイトに多重してＴＳ合成部３３に出力する。
【００５５】
付加情報付加部３２‐１，３２‐２は、１ｓｅｇ用ＴＳ再多重装置７‐１, ７‐２からそれぞれ出力される１セグメント形式の放送ＴＳを入力し、第３付加情報Ｃに含まれる連結・合成ＴＳ区別情報、セグメント形式情報及び単位送信波情報を当該放送ＴＳのダミーバイトに多重してＴＳ合成部３３に出力する。
【００５６】
ヌル放送ＴＳ生成部３４（第１ヌル放送ＴＳ生成部３４‐１、第２ヌル放送ＴＳ生成部３４‐２）は、ヌル放送ＴＳ生成部５では、１セグメント形式の放送ＴＳと同じ伝送速度（２．０３Ｍｂｐｓ（＝１２８／６３Ｍｂｐｓ））で情報部分を全てヌルパケットとした放送ＴＳをヌル放送ＴＳとして生成し、ＴＳ合成部３３に出力する。ヌル放送ＴＳ生成部３４によるヌル放送ＴＳは、連結・合成ＴＳの伝送速度（３２．５１Ｍｂｐｓ（＝５１２／６３×４Ｍｂｐｓ））から、連結・合成する圧縮放送ＴＳ、放送ＴＳの合計速度を減算し、ヌル放送ＴＳの伝送速度で割った値だけ発生させる。
【００５７】
実施例１の場合、圧縮放送ＴＳが４本、放送ＴＳが２本なので、連結・合成する圧縮放送ＴＳと放送ＴＳの合計速度は、２８．４４Ｍｂｐｓ（＝１２８／６３×３×４＋１２８／６３×２）となる。従って、ヌル放送ＴＳの個数は、（５１２／６３×４−１２８／６３×３×４−１２８／６３×２）／（１２８／６３）＝２個となる。さらに、ヌル放送TS生成部５では、受信装置で復調する際にヌル放送ＴＳを判別するためにフラグを付加する。例えば、図２に示される連結・合成ＴＳ区別情報、セグメント形式情報、単位送信波情報のビット割り当て例にて、後述する図７に示すように、連結・合成ＴＳ区別情報を示す３ビットのシンタックスの１つに、「ヌル放送ＴＳＰ」を示すフラグを付加するとよい。
【００５８】
ＴＳ合成部３３は、付加情報付加部３１‐１，３１‐２，３１‐３，３１‐４から得られる圧縮放送ＴＳと、付加情報付加部３２‐１，３２‐２から得られる放送ＴＳと、ヌル放送ＴＳとを、その伝送速度に応じて、ＣＩＰとともに時分割多重して合成し、連結・合成ＴＳを生成する。
【００５９】
このように、ヌル放送ＴＳを予め生成することで、３セグメント形式の圧縮放送ＴＳと１セグメント形式の放送ＴＳの連結時において、ＳＴＬ／ＴＴＬ回線で伝送可能な一定の伝送速度とするためのヌルパケット挿入によるレート調整が必要なくなる。また、ヌル放送ＴＳを１セグメント形式の放送ＴＳと同じ伝送速度にすることで、どのような放送ＴＳの組み合わせで連結する場合でも、ヌル放送ＴＳの個数は整数となる（図１７を参照して後述する。）。図６に、ＴＳ合成部３３で生成される連結・合成ＴＳの時間多重順の例を示す。伝送速度が遅い１セグメント形式の放送ＴＳの１ＴＳパケット転送時間（約０．８ｍｓ＝２０４×８／（１２８×６３×１ｅ−６）×１ｅ３）を単位時間とし、その１単位時間内に連結・合成する全ての圧縮放送ＴＳ、放送ＴＳ、ヌル放送ＴＳを伝送速度の比に応じた数だけ多重する。圧縮放送ＴＳは１単位時間内に３パケット、１セグメント形式の放送ＴＳとヌル放送ＴＳは１単位時間内に１パケット多重する。多重したパケットは次の単位時間で連結・合成ＴＳの伝送速度で転送される。
【００６０】
尚、上述の図５に示す連結合成部３に関する説明では、３セグメント形式の圧縮放送ＴＳや１セグメント形式の放送ＴＳのダミーバイトに第３付加情報Ｃに含まれる連結・合成ＴＳ区別情報、セグメント形式情報及び単位送信波情報を当該放送ＴＳのダミーバイトに多重した後、これらの３セグメント形式の圧縮放送ＴＳ及び１セグメント形式の放送ＴＳを合成するとして説明したが、３セグメント形式の圧縮放送ＴＳ及び１セグメント形式の放送ＴＳを合成した後に、３セグメント形式の圧縮放送ＴＳや１セグメント形式の放送ＴＳのダミーバイトに第３付加情報Ｃに含まれる連結・合成ＴＳ区別情報、セグメント形式情報及び単位送信波情報を多重するように構成してもよい。
【００６１】
また、連結・合成ＴＳ区別情報、セグメント形式情報及び単位送信波情報のビット割り当てに関して、図７に例示するように、第３付加情報Ｃに含まれる連結・合成ＴＳ区別情報（第５ビット〜第７ビット）、セグメント形式情報（第４ビット）及び単位送信波情報（第０ビット〜第３ビット）とすることができ、連結・合成ＴＳ区別情報内に、「ヌル放送ＴＳＰ」及び「圧縮放送ＴＳＰ」を示すフラグを付加することができる。
【００６２】
（伝送パラメータに応じた抽出ＴＳＰテーブルの作成方法の一例）
次に、抽出ＴＳＰテーブル格納部９３ａに予め格納しておく伝送パラメータに応じた抽出ＴＳＰテーブルの作成方法について述べる。３セグメント形式のＶＨＦ‐Ｌｏｗ帯マルチメディア放送は１セグメントと２セグメントの２つの階層（Ａ階層・Ｂ階層）で構成されることが予定されている。このため、放送ＴＳはＡ階層のＴＳＰ、Ｂ階層のＴＳＰ、ヌルパケットが連結された多重フレーム構造となる。尚、ヌルパケットは伝送パラメータによらず一定のクロックでＴＳＰのインタフェースをとるために挿入される。多重フレームに含まれるＴＳＰ数はモードとガードインターバル比により異なり、多重フレームにおける各階層のＴＳＰやヌルパケットの配置は、伝送パラメータ（モード、ガードインターバル比、各階層の変調方式、符号化率）により異なる。換言すれば、多重フレームにおける各階層のＴＳＰやヌルパケットの配置は、伝送するコンテンツによらず、伝送パラメータ（モード、ガードインターバル比、各階層の変調方式、符号化率）によって一意に定まる。
【００６３】
ここで、図８に１多重フレームに含まれるＴＳＰ数、図９にモード１、ガードインターバル１／４、Ａ階層ＱＰＳＫ（符号化率２／３）、Ｂ階層１６ＱＡＭ（符号化率１／２）の場合の放送ＴＳパケット配置を示す。放送ＴＳから圧縮放送ＴＳへデータ圧縮するには、１多重フレームに含まれる放送ＴＳパケット数の４分の１のヌルパケットを削除すればよい。遅延を少なくするためには、削除する放送ＴＳパケットを等間隔に分散させるのが望ましいが、Ａ階層及びＢ階層が等間隔で挿入されていないため、本実施例では、予め、圧縮放送ＴＳとして構成するために抽出するＴＳＰのＴＳＰカウンタ値（即ち、放送ＴＳにおける削除しないＴＳＰのＴＳＰカウンタ値）を示す抽出ＴＳＰテーブルを作成して抽出ＴＳＰテーブル格納部９３ａに格納しておくようにする。
【００６４】
まず、削除するＴＳＰとして、遅延量を短くすることを鑑みて、ＴＳＰカウンタ値が４ｎ，４ｎ＋１，４ｎ＋２，４ｎ＋３（ｎ：正の整数）の４通りのうちのいずれかを持つＴＳＰを基準に削除対象のＴＳＰとすることが考えられる。これら４通りの削除基準のＴＳＰカウンタ値のそれぞれについて、削除するＴＳＰカウンタ値のＴＳＰの種類を確認していくことで、４通りの削除基準のうち最小の遅延量となるものを事前に決定することができる。例えば、ＴＳＰカウンタ値が４ｎを持つＴＳＰを基準に削除対象のＴＳＰとするとき、削除する放送ＴＳパケットがヌルパケットではなく、Ａ階層・Ｂ階層のＴＳＰとなるＴＳＰカウンタ値の際には、次のＴＳＰカウンタ値のＴＳＰを削除することとする。さらに続くＴＳＰについてもＡ階層、もしくはＢ階層であった場合、さらに次のＴＳＰカウンタ値のＴＳＰを削除することとする。このようにＴＳＰカウンタ値をシフトすることでヌルパケットのみを削除できるが、シフトするＴＳＰ量の最大値がＴＳバッファの大きさとなり、そのまま遅延量となる。そのため、ＴＳＰカウンタ値が４ｎを持つＴＳＰを基準に削除対象のＴＳＰとしたときの遅延量を把握することができる。同様に、ＴＳＰカウンタ値が４ｎ＋１，４ｎ＋２，４ｎ＋３を持つＴＳＰを基準に削除対象のＴＳＰとしたときのそれぞれの遅延量を把握することができる。したがって、４通りの削除基準のうちシフトするＴＳＰ量が最小となるものを予め選ぶことで、最小の遅延量となる抽出ＴＳＰテーブルを作成することができる。
【００６５】
具体的に、図９（モード１、ガードインターバル１／４、Ａ階層ＱＰＳＫ（符号化率２／３）、Ｂ階層１６ＱＡＭ（符号化率１／２））の放送ＴＳ配置を例にとって説明する。まず、削除するＴＳＰカウンタ値が４ｎ＋１に該当するＴＳＰを基準に削除するとして仮定した場合について考える。図９より、ＴＳＰカウンタ値が１（ｎ＝０）のＴＳＰ種類はヌルパケットなので削除できる。一方、ＴＳＰカウンタ値が１７（ｎ＝４）のＴＳＰ種類はＢ階層のＴＳＰなので削除せずに次のＴＳＰカウンタ値を調べると、ＴＳＰカウンタ値１８のＴＳＰ種類はヌルパケットとなるので、このパケットを削除する。このときシフト量は１パケット分となる。
【００６６】
また、ＴＳＰカウンタ値が３７（ｎ＝９）のＴＳＰ種類はＡ階層のＴＳＰなので、次のＴＳＰを調べると、さらにＢ階層のＴＳＰとなる。そこで、削除するＴＳＰのＴＳＰカウンタ値は３９となり、シフト量は２パケット分となる。このように確認していくと、削除するＴＳＰカウンタ値を４ｎ＋１と仮定した場合、最大シフト量は２パケットとなる。ＴＳバッファ量は２パケットに設定すればよい。削除するＴＳＰカウンタ値を４ｎ、４ｎ＋２としても最大シフト量は２パケットとなる。一方、削除するＴＳＰカウンタ値を４ｎ＋３と仮定すると、最大シフト量は１パケットで済む。従って、この伝送パラメータの削除するＴＳＰカウンタ値は４ｎ＋３を基準とすれば、遅延量を短くすることができる。以上の手順で作成した抽出ＴＳＰテーブルの一例を図１０に示す。このように４通りの削除基準を仮定しても最大シフト量が同じ場合、いずれを選択してもよいが、例えばシフトする回数が少ないものを選ぶようにするのが好適である。
【００６７】
以上の要領で、抽出ＴＳＰテーブルを伝送パラメータごと、つまり３（モード）×４（ガードインターバル比）×３（Ａ階層の変調方式・内符号）×３（Ｂ階層の変調方式・内符号）＝１０８個の表を作成することができる。
【００６８】
（伝送パラメータに応じた抽出ＴＳＰテーブルの作成方法の別例）
上記の抽出ＴＳＰテーブルの作成方法の例では、抽出ＴＳＰテーブルを伝送パラメータ毎に設定したため、１０８個の表が必要となった。この別例として、遅延時間の増加を最低限にしながら、抽出ＴＳＰテーブルの表の数を１２個（モード・ガードインターバル比の組み合わせのみ）に抑える抽出ＴＳＰテーブルを利用する例について説明する。
【００６９】
具体的に、抽出ＴＳＰテーブル格納部９３ａに予め格納しておく伝送パラメータに応じた抽出ＴＳＰテーブルの作成方法について述べる。図１１に示すように、削除するＴＳＰとして、遅延量を短くすることを鑑みて、ＴＳＰカウンタ値が４ｎ，４ｎ＋１，４ｎ＋２，４ｎ＋３（ｎ：正の整数）の４通りのうちのいずれかを持つＴＳＰを基準に削除対象のＴＳＰとすることが考えられる。これら４通りの削除基準のＴＳＰカウンタ値のそれぞれについて、削除するＴＳＰカウンタ値のＴＳＰの種類を確認していくことで、４通りの削除基準のうち最小の遅延量となるものを事前に決定することができる。
【００７０】
このとき、同じモード・ガードインターバル比の組み合わせを持つ伝送パラメータは、Ａ／Ｂ階層の変調方式・内符号の組み合わせがそれぞれ３通りあるため、９通り存在する。そこで、同じＴＳＰカウンタ値を持つ９個のＴＳＰの種類について確認していく。削除対象となるＴＳＰカウンタ値のＴＳＰのうち、１つでもＡ階層・Ｂ階層のＴＳＰが存在する場合には次のＴＳＰカウンタ値のＴＳＰを削除することとする（例：図９におけるＴＳＰカウンタ値＝５）。さらに続くＴＳＰについてもＡ階層、もしくはＢ階層のＴＳＰがある場合、さらに次のＴＳＰカウンタ値のＴＳＰとし、これを繰り返す。例えば図９におけるＴＳＰカウンタ値＝２０の場合は３パケットシフトしたＴＳＰカウンタ値＝２３のヌルパケットを削除することとする。
【００７１】
このようにＴＳＰカウンタ値をシフトすることでヌルパケットのみを削除対象とすることができるが、シフトするＴＳＰ量の最大値がＴＳバッファの大きさとなり、そのまま遅延量となる。そのため、４通りのＴＳＰカウンタ値のうち、シフトするＴＳＰ量が最小となるものを選ぶ。モード３、ガードインターバル１／８の場合、４ｎ、４ｎ＋１、４ｎ＋２については遅延量が３パケット分となるのに対して、４ｎ＋３を基本として抽出ＴＳＰテーブルを作成すれば、遅延量が２パケット分とすることができる。
【００７２】
以上の要領で、抽出ＴＳＰテーブルの表の数を削減し、遅延量を減らすことが可能となる。
【００７３】
また、地上デジタルテレビジョン放送、及びＶＨＦ‐Ｈｉｇｈ帯を利用したマルチメディア放送と同じように伝送する場合、放送ＴＳはＡ階層のＴＳＰ、Ｂ階層のＴＳＰ、ヌルパケットの他に、伝送パラメータ等のＴＭＣＣ情報を示すＩＩＰ、ＡＣデータ、事業者独自データを多重する無効階層のＴＳＰが存在する。これらのデータの多重位置は規格では定められていない。本実施例では、削除する予定のＴＳＰがＩＩＰ、ＡＣデータ及び事業者独自データとなる場合がないように、付加情報の内容に応じて第１付加情報Ａ、第２付加情報Ｂ及び第３付加情報Ｃに分類し、第１付加情報Ａ、第２付加情報Ｂ及び第３付加情報Ｃの多重するタイミングを変えることにより、放送ＴＳの圧縮・伸長時の処理遅延を少なくすることができる。
【００７４】
以上のように、本実施例のＳＴＬ／ＴＴＬ回線用送信装置１は、複数種のセグメント形式の放送ＴＳについて所定のセグメント数以下で任意に連結し合成した連結・合成ＴＳをＳＴＬ／ＴＴＬ回線にて送信する際に、当該複数種のセグメント形式の放送ＴＳのうち所定のセグメント形式の放送ＴＳのＴＳＰカウンタ値を監視し、該放送ＴＳの伝送パラメータに応じて予め定められたＴＳＰカウンタ値のヌルパケットを削除することにより当該放送ＴＳについてデータ圧縮を施しつつ、付加情報の内容に応じて分類された第１付加情報Ａ、第２付加情報Ｂ及び第３付加情報Ｃのタイミングを変えて多重した圧縮放送ＴＳを生成し、この圧縮放送ＴＳと、当該複数種のセグメント形式の放送ＴＳのうちデータ圧縮を施していない放送ＴＳと、これらの伝送速度に応じて挿入されるヌル放送ＴＳとを連結し、連結・合成ＴＳを生成する。これにより、所定の伝送速度（例えば３２．５１Ｍｂｐｓ（＝５１２／６３×４Ｍｂｐｓ））以下で連結・合成ＴＳを構成することができるので、地上デジタルテレビジョン放送と同様のＳＴＬ／ＴＴＬ回線を利用することができ、更に、当該圧縮放送ＴＳの伸長時における付加情報の遅延を最小化させることができるので、効率的な放送ＴＳ及び付加情報の伝送が可能となる。
【００７５】
（ＳＴＬ／ＴＴＬ回線用受信装置）
図１２は、本発明による実施例１のＳＴＬ／ＴＴＬ回線用受信装置１０の構成を示すブロック図である。本実施例のＳＴＬ／ＴＴＬ回線用受信装置１０は、ＲＦ受信部１１と、ＳＴＬ／ＴＴＬ用伝送路復号部１２と、連結・合成ＴＳに合成されているそれぞれの３セグメント形式の圧縮放送ＴＳ及びそれぞれの１セグメント形式の放送ＴＳを分離する分離部１３と、それぞれの３セグメント形式の圧縮放送ＴＳに対して設けられるデータ伸長部１４とを備える。
【００７６】
ＲＦ受信部１１は、ＳＴＬ／ＴＴＬ回線用送信装置１から伝送される連結・合成ＴＳのＲＦ信号の放送波を受信し、ＩＦ信号に変換してＳＴＬ／ＴＴＬ用伝送路復号部１２に出力する。
【００７７】
ＳＴＬ／ＴＴＬ用伝送路復号部１２は、ＩＦ信号に変換された連結・合成ＴＳの伝送路符号化信号に対して所定の伝送路復号（例えばＡＲＩＢ  ＳＴＤ‐Ｂ３１と同様）を施し、復調・復号された連結・合成ＴＳを分離部１３に出力する。
【００７８】
分離部１３は、多重した順に圧縮放送ＴＳ、放送ＴＳ、ヌル放送ＴＳを分離する。より具体的には、分離部１３は、まず、ＳＴＬ／ＴＴＬ回線用送信装置１における連結合成部３で追加されたヌルパケットを削除する。例えば、ＳＴＬ／ＴＴＬ回線用送信装置１における連結合成部３で多重フレームの先頭から数えて７個のＴＳＰにつき１個のヌルパケットが追加されている場合、分離部１３においても、多重フレームの先頭を検知したのちに、８個のＴＳＰにつき１個のヌルパケットを削除すればよい。尚、ヌル放送ＴＳは判別フラグを用いて分離すると確実である。
【００７９】
続いて、分離部１３は、ヌルパケットを削除した後、４個の３セグメント形式の圧縮放送ＴＳと２個の１セグメント形式の放送ＴＳに分離し、分離した４個の３セグメント形式の圧縮放送ＴＳの各々については、それぞれのデータ伸張部１４に出力し、分離した２個の１セグメント形式の放送ＴＳについては外部に出力する。
【００８０】
データ伸張部１４は、ＴＳＰカウンタ値に応じてヌルパケットを挿入して圧縮放送ＴＳを伸長し、３セグメント型式の放送ＴＳとして出力する。
【００８１】
図１３は、本実施例のＳＴＬ／ＴＴＬ回線用受信装置１０におけるデータ伸長部１４の構成を示すブロック図である。データ伸長部１４は、ＴＳＰバッファ１５と、ＴＳＰカウンタ値抽出部１６と、ヌルパケット生成部１７と、ヌルパケット挿入部１８とを備える。３セグメント形式の圧縮放送ＴＳがそれぞれＴＳＰバッファ１５とＴＳＰカウンタ値抽出部１６に入力される。
【００８２】
ＴＳＰバッファ１５は、入力された３セグメント形式の圧縮放送ＴＳにおけるＴＳＰを一時格納する機能を有し、後述するヌルパケット挿入部１８の制御によりＴＳＰカウンタ値に応じてＴＳＰが読み出される。
【００８３】
ＴＳＰカウンタ値抽出部１６は、第１付加情報Ａ内のＴＳＰカウンタ値を抽出し、ヌルパケット挿入部１８に送出する。
【００８４】
ヌルパケット生成部１７は、ヌルパケット挿入部１８からのヌルパケット挿入要求に応じてヌルパケットを生成してヌルパケット挿入部１８に出力する。
【００８５】
ヌルパケット挿入部１８は、ＴＳＰカウンタ値が連続値となっているときにはＴＳＰバッファ１５から順番にＴＳＰを読み出し、ＴＳＰカウンタ値が連続値となっておらず抜けがあったときにはＴＳＰカウンタ値が連続値となるまでヌルパケット生成部１７から必要な分のヌルパケットを挿入して放送ＴＳを復元する。本実施例では、３セグメント形式の放送ＴＳを圧縮した後に第２付加情報Ｂや第３付加情報Ｃが多重されているため、付加情報の位置を変えることなく放送ＴＳを復元することができ、送信側で用いた抽出ＴＳＰテーブルを保持する必要がない。
【００８６】
これにより６．１０Ｍｂｐｓ（＝５１２／６３／４×３Ｍｂｐｓ）の圧縮放送ＴＳが８．１２Ｍｂｐｓ（＝５１２／６３Ｍｂｐｓ）の放送ＴＳへ変換される。
【００８７】
このようにして、本実施例のＳＴＬ／ＴＴＬ回線用受信装置１０は、複数種のセグメント形式の放送ＴＳについて所定のセグメント数以下で任意に連結し合成した連結・合成ＴＳをＳＴＬ／ＴＴＬ回線にて受信する際に、圧縮放送ＴＳを含む連結・合成ＴＳを分離し、この圧縮放送ＴＳのＴＳＰカウンタ値を監視して、予め定められたＴＳＰカウンタ値のヌルパケットを挿入することにより当該圧縮放送ＴＳについてデータ伸長を施して元の放送ＴＳを復元する。
【００８８】
以上の構成により、３セグメント形式の放送ＴＳを４個、１セグメント形式の放送ＴＳを２個で構成されたＶＨＦ‐Ｌｏｗ帯マルチメディア放送の連結・合成ＴＳを地上デジタルテレビジョン放送のＳＴＬ／ＴＴＬの１回線で伝送することができる。
【００８９】
〔実施例２〕
（ＳＴＬ／ＴＴＬ回線用送信装置）
図１４は、本発明による実施例２のＳＴＬ／ＴＴＬ回線用送信装置１を備える送信システムの構成を示すブロック図である。図１４において、図１と同様な構成要素には、同一の参照番号を付している。本実施例では、連結・合成するセグメント数が少なく、３セグメント形式の放送ＴＳと１セグメント形式の放送ＴＳの合計伝送速度が、連結・合成ＴＳの伝送速度より小さい場合に、ＶＨＦ−Ｌｏｗ帯マルチメディア放送の合成ＴＳを地上デジタル放送のＳＴＬ／ＴＴＬ １回線で伝送する装置例を説明する。
【００９０】
本実施例の場合、３セグメント形式の放送ＴＳを圧縮せずに連結・合成が可能である。図１４に示すように、実施例２では、３セグメント形式の放送ＴＳが２つ、１セグメント形式の放送ＴＳが３つの場合の連結・合成ＴＳを１つのＳＴＬ／ＴＴＬ回線用送信装置１で伝送する例を示す。実施例２のＳＴＬ／ＴＴＬ回線用送信装置１は、図１におけるデータ圧縮・付加情報多重部９を、３セグメント形式の放送ＴＳを圧縮せずに所定の付加情報（第２付加情報Ｂ）を多重する付加情報多重部９ａ‐１，９ａ‐２（本願明細書中、総括して「データ圧縮・付加情報多重部９ａ」とも称する。）に置き換えた構成となる。
【００９１】
図１５は、実施例２の連結合成部３の構成例である。図１５において、図５と同様な構成要素には、同一の参照番号を付している。連結合成部３は、付加情報付加部３１‐１，３１‐２，３２‐１，３２‐２，３２‐３、ヌル放送ＴＳ生成部３４‐１，・・・，３４‐５、ＴＳ合成部３３で構成され、各機能部はそれぞれ実施例１と同様に動作する。実施例２では、ヌル放送ＴＳを５個発生させてＴＳ合成を行うことにより、実施例１で示す連結・合成ＴＳと同じ伝送速度となる。したがって、連結合成部３は、３セグメント形式の放送ＴＳと、１セグメント形式の放送ＴＳとを連結したときの伝送速度の合計に応じて定められたヌル放送ＴＳの連結数（この連結数として０個を含む。）にしたがって、連結・合成ＴＳの伝送速度の合計がＳＴＬ／ＴＴＬ回線の伝送速度以下となるように各放送ＴＳを連結し合成することにより連結・合成ＴＳを生成するように構成することができる。
【００９２】
尚、実施例２として、３セグメント形式の放送ＴＳを圧縮せずに所定の付加情報（第２付加情報Ｂ）を多重する付加情報多重部９ａを設ける例を説明したが、この第２付加情報Ｂについて、３ｓｅｇ用ＴＳ再多重装置６にて、予め第１付加情報Ａとともに第２付加情報Ｂを再多重するように構成すれば、３ｓｅｇ用ＴＳ再多重装置６の出力を直接、連結合成部３に入力するように構成することができる。
【００９３】
（ＳＴＬ／ＴＴＬ回線用受信装置）
図１６は、本発明による実施例２のＳＴＬ／ＴＴＬ回線用受信装置１０の構成を示すブロック図である。図１７において、図１１と同様な構成要素には、同一の参照番号を付している。実施例２のＳＴＬ／ＴＴＬ回線用受信装置１０における各機能部はそれぞれ実施例１と同様に動作する。したがって、本実施例のＳＴＬ／ＴＴＬ回線用受信装置１０は、複数種のセグメント形式の放送ＴＳについて所定のセグメント数以下で任意に連結し合成した連結・合成ＴＳをＳＴＬ／ＴＴＬ回線にて受信する際に、圧縮放送ＴＳを含む連結・合成ＴＳを分離し、この圧縮放送ＴＳのＴＳＰカウンタ値を監視して、予め定められたＴＳＰカウンタ値のヌルパケットを挿入することにより当該圧縮放送ＴＳについてデータ伸長を施して元の放送ＴＳを復元することができる。
【００９４】
〔実施例３〕
図１７に、連結・合成の組み合わせによるヌル放送ＴＳの個数を示す。ＴＳ合成部３３は、連結・合成の組み合わせに応じて、図１７に示す個数のヌル放送ＴＳを発生させることで、放送ＴＳと同じようにヌル放送ＴＳを多重することができる。したがって、図１７に示す連結・合成の組み合わせに応じて、ＳＴＬ／ＴＴＬ回線用送信装置１及びＳＴＬ／ＴＴＬ回線用受信装置１０を構成することができる。
【００９５】
また、連結合成部３は、図１７に示す連結・合成の組み合わせに応じて、３セグメント形式の放送ＴＳと、１セグメント形式の放送ＴＳとを連結したときの伝送速度の合計に応じてヌル放送ＴＳの連結の可否を適応的に定め、連結・合成ＴＳの伝送速度の合計がＳＴＬ／ＴＴＬ回線の伝送速度以下となるように各放送ＴＳを連結し合成することにより連結・合成ＴＳを生成するように構成することができる。
【００９６】
例えば、図１７に示す連結・合成の組み合わせのうち、連結・合成する放送ＴＳについて複数種の組み合わせでも動作可能なＳＴＬ／ＴＴＬ回線用送信装置１を構成することができる。図１８に示すように、連結合成部３において、３セグメント形式の圧縮放送ＴＳと１セグメント形式の放送ＴＳにおける連結・合成の組み合わせに応じて選択的に動作可能な数の付加情報付加部３１‐Ｋ（０≦Ｋ≦４），３２‐Ｍ（０≦Ｍ≦１４）を設けるとともに、ヌル放送ＴＳ生成部３４−Ｎ（０≦Ｎ≦１５）を設けるように構成する。これにより、連結・合成する放送ＴＳについて複数種の組み合わせでも動作可能なＳＴＬ／ＴＴＬ回線用送信装置１を構成することが可能となる。
【００９７】
以上のように、本発明によるＳＴＬ／ＴＴＬ回線用送信装置１及びＳＴＬ／ＴＴＬ回線用受信装置１０は、複数種のセグメント形式の放送ＴＳについて所定のセグメント数以下で任意に連結し合成した伝送信号、例えば１４個以下のセグメントで連結されたマルチメディア放送の伝送信号において、セグメント構成（１セグメント形式か３セグメント形式）によらず、所定の伝送速度（例えば３２．５１Ｍｂｐｓ（＝５１２／６３×４Ｍｂｐｓ））以下で連結・合成ＴＳを構成することができるので、地上デジタルテレビジョン放送と同様のＳＴＬ／ＴＴＬ回線を利用することができるようになる。更に、連結・合成ＴＳの伝送速度を地上デジタル放送の放送ＴＳと同じ伝送速度の調整に要する処理負担を削減することができる。
【００９８】
以上、特定の実施例を挙げて本発明を説明したが、本発明は前述の各実施例に限定されるものではなく、その技術思想を逸脱しない範囲で種々変形可能である。例えば、上述の各実施例では、ＳＴＬ／ＴＴＬ回線用送信装置１において、圧縮放送ＴＳとして抽出するＴＳＰのＴＳＰカウンタ値（即ち、放送ＴＳにおける削除しないＴＳＰのＴＳＰカウンタ値）を示す抽出ＴＳＰテーブルを保持する例を説明したが、この代わりに、圧縮放送ＴＳとして構成するために削除するＴＳＰのＴＳＰカウンタ値を示す抽出ＴＳＰテーブルを保持するようにしてもよい。また、上述の実施例では、３ｓｅｇ用ＴＳ再多重装置６及び１ｓｅｇ用ＴＳ再多重装置７としてＴＳ再多重装置を区別して説明したが、総括して、ＴＳ再多重装置において、３セグメント形式の放送ＴＳについては第１付加情報Ａを多重する第１のＴＳ再多重部６１と、１セグメント形式の放送ＴＳについては第１付加情報Ａ及び第２付加情報Ｂの分類に属する付加情報を多重する第２のＴＳ再多重部７１のいずれか一方又は双方を備えるように構成すればよい。ここで、第１のＴＳ再多重部６１と第２のＴＳ再多重部７１の双方を備えるように構成したＴＳ再多重装置において、前述のセグメント形式判定部８１と同様な機能ブロックを設けて、放送ＴＳに関して３セグメント形式であるか１セグメント形式であるかを判定し、セグメント形式に応じて予め分類された付加情報を多重するように構成することができる。
【産業上の利用可能性】
【００９９】
本発明によれば、複数種のセグメント形式の放送ＴＳについて所定のセグメント数以下で任意に連結し合成した伝送信号、例えば１４個以下のセグメントで連結されたマルチメディア放送の伝送信号において、セグメント構成（１セグメント形式か３セグメント形式）によらず、所定の伝送速度（例えば３２．５１Ｍｂｐｓ（＝５１２／６３×４Ｍｂｐｓ））以下で連結・合成ＴＳを構成することができるので、地上デジタルテレビジョン放送と同様のＳＴＬ／ＴＴＬ回線を利用する用途に有用である。
【符号の説明】
【０１００】
１  ＳＴＬ／ＴＴＬ回線用送信装置
３  連結合成部
４  ＳＴＬ／ＴＴＬ用伝送路符号化部
５  ＲＦ送信部
６，６‐１，６‐２，６‐３，６‐４  ３ｓｅｇ用ＴＳ再多重装置
７，７‐１，７‐２  １ｓｅｇ用ＴＳ再多重装置
８  付加情報挿入制御装置
９，９‐１，９‐２，９‐３，９‐４  データ圧縮・付加情報多重部
９ａ，９ａ‐１，９ａ‐２  データ圧縮・付加情報多重部
１０  ＳＴＬ／ＴＴＬ回線用受信装置
１１  ＲＦ受信部
１２  ＳＴＬ／ＴＴＬ用伝送路復号部
１３  分離部
１４  データ伸長部
３１‐１，３１‐２，３１‐３，３１‐４，３１‐Ｋ  付加情報付加部
３２‐１，３２‐２，３２‐３，３２‐Ｍ  付加情報付加部
３４，３４‐１，３４‐２，３４‐５，３４‐Ｎ  ヌル放送ＴＳ生成部
３３  ＴＳ合成部
５０  比較例のＳＴＬ／ＴＴＬ回線用送信装置
６１  ＴＳ再多重部
７１  ＴＳ再多重部
８１  セグメント形式判定部
８２  付加情報挿入制御部
９１  ＴＳＰバッファ
９２  ＴＳＰカウンタ値抽出部
９３  抽出ＴＳＰテーブル選択制御部
９３ａ  抽出ＴＳＰテーブル格納部
９４  ＴＳＰ抽出部
９５  付加情報多重部
【図１】
2015103953.tif 000003
【図２】
2015103953.tif 000004
【図３】
2015103953.tif 000005
【図４】
2015103953.tif 000006
【図５】
2015103953.tif 000007
【図６】
2015103953.tif 000008
【図７】
2015103953.tif 000009
【図８】
2015103953.tif 000010
【図９】
2015103953.tif 000011
【図１０】
2015103953.tif 000012
【図１１】
2015103953.tif 000013
【図１２】
2015103953.tif 000014
【図１３】
2015103953.tif 000015
【図１４】
2015103953.tif 000016
【図１５】
2015103953.tif 000017
【図１６】
2015103953.tif 000018
【図１７】
2015103953.tif 000019
【図１８】
2015103953.tif 000020